(57)【要約】  本発明は、前部(４)と、後部(５)と、この前部と後部との間で延在する股部(６)と、吸収用品にパンツ状外形を付与するためにオーバーラップした関係で前部および後部のサイド部分を一つに止着するファスナー(１３,１４)とを具備してなる使い捨て吸収用品であって、それぞれの前部および後部のサイド部分間のオーバーラップは調整可能であり、吸収用品の縦方向は後部から前部へ向うようなものである吸収用品に関する。本発明によれば、前部または後部(４,５)のサイド部分の少なくとも一つが、少なくとも一つの張力指示子(１７,１８)を具備してなる。
2007512895.tif 000002
【特許請求の範囲】
【請求項１】
前部(４;１０４)と、後部(５;１０５)と、前記前部と前記後部との間で延在する股部(６;１０６)と、を具備してなる使い捨て吸収用品であって、
少なくとも一つの張力指示子(１７,１８;２１,２２;２５;２７)をさらに具備してなることを特徴とする使い捨て吸収用品。
【請求項２】
吸収用品にパンツ状外形を付与するためにオーバーラップした関係で前記前部および前記後部のサイド部分を一つに止着するためのファスナー(１３,１４;１１３,１１４;２１４;３１４)を具備してなり、ぞれぞれの前記前部および後部の前記サイド部分間のオーバーラップは調整可能であって、吸収用品の縦方向は前記後部から前記前部へ向うようなものであり、前記前部または後部(４,５;１０４,１０５)の前記サイド部分の少なくとも一つが、少なくとも一つの張力指示子(１７,１８;２１,２２;２５;２７)を具備してなることを特徴とする請求項１に記載の吸収用品。
【請求項３】
脚用開口部(１１,１２)に沿って弾性要素(９,１０)を具備してなり、
少なくとも一つの張力指示子が、前記脚用開口部の少なくとも一つに隣接して配置されていることを特徴とする請求項１または請求項２に記載の吸収用品。
【請求項４】
張力指示子(２１,２２;２５)が、吸収用品の少なくとも一つのサイド部において吸収用品の外面に視認可能に配設されており、かつ前記前部または後部の自由端と脚用開口部との間の領域に配置されていることを特徴とする請求項１に記載の吸収用品。
【請求項５】
前記張力指示子(１７,１８;２１,２２;２５;２７)はプラスチック材料製の帯片からなり、前記プラスチック材料は、それに対してある張力が作用したとき、その可視外観が変化するようなものであることを特徴とする請求項１ないし請求項４のいずれか１項に記載の吸収用品。
【請求項６】
前記プラスチック材料は、ある張力に達するまで透明であり、その後、不透明となるものであることを特徴とする請求項５に記載の吸収用品。
【請求項７】
前記プラスチック材料は、ある張力に達するまで不透明であり、その後、透明となるものであることを特徴とする請求項５に記載の吸収用品。
【請求項８】
その下に隠れている色が、前記プラスチック材料が透明となったときに現れるようになっていることを特徴とする請求項６に記載の吸収用品。
【請求項９】
二つの異なるタイプの張力指示子を具備してなり、この張力指示子の一方は最小張力レベルに達したことを示し、かつ前記張力指示子の他方は最大張力レベルに達したことを示すようになっていることを特徴とする請求項１ないし請求項８のいずれか１項に記載の吸収用品。
【請求項１０】
プラスチック材料の前記帯片(１７,１８;２１,２２;２５;２７)は、その対向する横方向端部においてのみ、吸収用品(４,５;１０４,１０５)の外面に取り付けられていることを特徴とする請求項５ないし請求項９のいずれか１項に記載の吸収用品。
【請求項１１】
プラスチック材料の前記帯片(２２;２５;２７)は、その横方向端部間に折込み部(２３;２８)を具備してなることを特徴とする請求項１０に記載の吸収用品。
【請求項１２】
吸収用品の前記後部または前部の少なくとも一つのサイド部分は、ある張力に達したときに可視外観が変化する材料からなる外面シートを具備してなることを特徴とする請求項１に記載の吸収用品。
【請求項１３】
使い捨て吸収用品のための張力指示子であって、
ある張力がそれに作用したとき、その可視外観が変化するプラスチック材料製の帯片からなることを特徴とする張力指示子。
【発明の詳細な説明】
【技術分野】
【０００１】
本発明は、前部、後部、そしてこの前部と後部との間で延在する股部を有する使い捨て式の吸収用品に関する。
【背景技術】
【０００２】
使い捨て吸収用品、たとえば開放型おむつ、パンツ型おむつ、あるいは失禁プロテクターなどにおいては、良好な流体の封じ込めを実現するために、適度に密着フィットすることが必要である。だが、フィット状態が過度に密着したものであると、それによって装着者の肌が過剰な圧力を受けて赤くなったり、皮膚に擦り傷が生じたりすることすらある。老人など肌が敏感な人に関して、過度の密着フィット状態は、とりわけ深刻な結果を生じることがある。なぜなら、肌が速やかにその本来の姿に戻らない、すなわち回復しないだろうからである。冒頭で述べたタイプの吸収用品は、看護人が装着者に着用させるか、あるいは装着者自身がそれを着用することになり、よって、得られるフィット具合は吸収用品を着用させる人しだいとなる。それゆえ、吸収用品を着用させる人が、肌を刺激するほどに吸収用品のウエストラインを締め付けないことを確実なものとするための手段を提供することが求められている。また、上記タイプのほとんどの吸収用品に存在する脚用弾力部における適切な緊張状態を顕示する必要がある。そうした吸収用品のフィット具合は、装着者にとって適正なサイズを選択することにも依存し、それゆえ、そうした吸収用品のさまざまな部分、たとえばパンツ型おむつのヒップ部分における張力を顕示するための手段が求められる。
【発明の開示】
【発明が解決しようとする課題】
【０００３】
本発明の目的は、冒頭で述べた種類の吸収用品を装着させる人が、吸収用品のウエストラインに過度の張力を与えてしまうのを防止し、そしてまた、着用させた吸収用品が装着者にとって適当なサイズのものであるかどうかを明示することである。
【課題を解決するための手段】
【０００４】
上記目的は、前部と、後部と、この前部と後部との間で延在する股部とを具備してなる使い捨て式吸収用品であって、少なくとも一つの張力指示子をさらに具備してなる吸収用品によって達成される。もちろん用品を着用させる人が付与された張力指示子に注意するのであれば、そうした指示子によって、吸収用品が、皮膚を刺激するリスクを伴わずに良好な流体封じ込めを実現できるよう密着フィット状態となることを確実なものとすることができる。また本発明によれば、十分に密着したフィット状態が得られたかどうかを顕示することも可能である。
【０００５】
好ましい実施形態では、本吸収用品は、それにパンツ状の外観を付与するためにオーバーラップ関係で前部および後部のサイド部分を一つに留めるためのファスナーを具備してなり、それぞれの前部および後部のサイド部分間のオーバーラップは調整可能であり、吸収用品の縦方向は後部から前部へと向うようなものであり、前部または後部のサイド部分の少なくとも一つが、少なくとも一つの張力指示子を具備してなる。
【０００６】
本吸収用品は、脚用開口部に沿って弾性要素を都合よく具備してなることができ、しかも脚用弾力部が過度に密着あるいは弛緩状態でないかどうかを明示するために、この脚用開口部の少なくとも一つに隣接して、少なくとも一つの張力指示子を配置することができる。
【０００７】
張力指示子は、吸収用品の少なくとも一つのサイド部分において、その外面に目に付くように配置でき、そして上記前部または後部の自由端部と脚用開口部との間の領域に位置させることができる。そうした実施形態は、適正なサイズの吸収用品が使用されているかを点検するために、パンツ型おむつにとって特に好都合である。
【０００８】
好ましい実施形態では、張力指示子は、ある張力がそれに作用したときに、その可視外観が変化するプラスチック材料製の帯片からなる。このプラスチック材料は、ある張力に達するまでは不透明であり、その後、透明になるか、あるいはその逆の変化をする。あるいは、上記プラスチック材料が透明になったとき、その下に隠れていた色が現れる。
【０００９】
有利なことを言えば、吸収用品は二つの異なるタイプの張力指示子を具備してなり、この指示子タイプの一方は最小張力レベルに達したことを、そして他方は最大張力レベルに達したことを顕示する。
【００１０】
好ましい実施形態では、プラスチック材料製の上記帯片は、この帯片の対向する横方向端部においてのみ吸収用品の外面に対して取り付けられ、しかもプラスチック材料製の上記帯片は、その横方向端部間に折込み部を具備してなる。
【００１１】
さらなる実施形態では、吸収用品の後部または前部の少なくとも一部は、それ自身について、ある張力に達したとき、その可視外観が変化する材料からなる外面シートを具備してなる。
【００１２】
本発明はまた、それにある張力が作用したとき、その可視外観が変化するプラスチック材料製の帯片からなることを特徴とする張力指示子に関する。
【発明を実施するための最良の形態】
【００１３】
ここで、図面を参照して本発明について説明する。
【００１４】
図１ないし図３には、失禁プロテクター、すなわち成人用おむつの第１の好ましい実施形態が示されている。既存の吸収用品と同様、本吸収用品は、外側液体不透過性被覆シート２と、内側液体透過性被覆シート３との間に封入された吸収体１を具備してなる。本吸収用品は、前部４、後部５、そしてこの前部と後部との間で延在する股部６とを備えた砂時計形状を有している。被覆シート２,３は、吸収体１の外側に張り出している部分において互いに張り合わされている。
【００１５】
本吸収用品はまた、前部および後部のウエストラインにその中央部においてそれぞれ配されかつ予張力が付与された状態で被覆シート２,３に取り付けられた複数の弾性糸７,８の形態のウエスト弾力部を具備してなる。予張力が付与された弾性糸９,１０がまた、吸収用品のそれぞれの脚用開口部１１,１２に沿って設けられている。ウエストおよび／または脚用弾力部の弾性糸の代わりに、弾性バンドあるいは熱収縮性素材からなるバンド(これは熱処理によって収縮し、弾力性を獲得する)を使用することも、もちろん可能である。図１においては、弾力部に予張力が付与された状態で、すなわち、弾性糸が弛緩可能であるときに生じる被覆素材のギャザーが存在しない状態で吸収用品を示している。弾性糸７〜１０は被覆シート２,３間に配置されているが、もちろん吸収用品の外面または内面に、すなわち外側シート２または内側シート３に、弾性要素を配置することも可能である。
【００１６】
さらに、本吸収用品は、装着時、それに図２に概略的に示すようなパンツ状の様態を付与するためのファスナーを具備してなる。図示する実施形態では、このファスナーは、プラスチック材料からなる長尺な帯片１５,１６と協働するテープタブ１３,１４からなり、このテープタブは、従来公知であるように、帯片１５,１６に対して、何度でも取り外し可能に張り付け、再固定することができる。テープタブの代わりに、たとえばフック・ループ型の機械的ファスナーを使用することができる。サイズや体形が異なる装着者に吸収用品が適切にフィット可能であるよう、上記ファスナーはウエストラインの長さの調整を可能とするタイプのものであるべきであることに留意されたい。図２では、テープタブ１４が帯片１６に対して止着された状態で吸収用品を示している。容易に分かるように、上記前部および後部のサイド部分のそれぞれの対間の実現可能なオーバーラップ量は、帯片１５,１６の長さによって決定される。ここで説明する実施形態では、テープタブ１３,１４は後部のサイド部分に配置され、かつプラスチック材料からなる帯片は前部のサイド部分に配置されている。もちろん(但し好ましいものではない)、テープタブを前部のサイド部分に配置し、かつプラスチック材料製の帯片を後部のサイド部分に配置することも可能である。
【００１７】
外側被覆シート２の素材は、ポリエチレン、あるいは吸収用品の外側被覆シートとして用いられる公知のその他いかなる素材であってもよい。ゆえに、外側被覆シートは互いに積層された複数の層を具備してなることができ、しかも美観的理由から、その外面に、すなわち吸収用品の装着者から離れた面に布状層を備えていてもよい。先に述べたように、外側被覆層は液体不透過性のものであるが、有利なことを言えば、空気および水蒸気に関しては透過可能としてもよい。
【００１８】
内側液体透過性被覆シート３は、ポリエチレン、ポリプロピレン、ポリエステル、あるいはその混合物製の繊維からなる不織材料から形成できる。ビスコース繊維を用いることもできる。それはまた、多孔質プラスチックシートからなっていてもよい。使い捨て吸収体における内側被覆シートとして使用される公知の全ての種類の素材は、本発明による吸収用品において使用可能である。
【００１９】
吸収体１は、いわゆる超吸収材の粒子その他、および／または熱可塑性融解繊維の混合物を含むかあるいはそれを含んでいない、セルロース緩集体(fluff)パルプを含有していてもよい。この吸収体はまた、何層かの吸収素材からなっていてもよい。吸収体の液体捕捉特性を改善するための不織布などの層、および液体分散を改善するための層を具備することもできる。吸収用品において使用される公知のあらゆる種類の吸収体は、本発明による吸収用品においても使用可能である。
【００２０】
最新の使い捨て吸収用品、たとえばおむつおよび失禁プロテクターの優れた流体封じ込め特性を利用するためには、吸収用品が装着者に適切にフィットすることが重要である。これは、吸収用品が装着状態となったとき、この吸収用品のウエストラインが装着者の身体に圧力を加えることを意味する。そうした圧力が小さ過ぎる場合、吸収用品はたいてい漏れを生じ、またこの圧力が高過ぎる場合、装着者の皮膚は刺激を受けるかあるいは傷付けられる。本発明によれば、適当な流体封じ込めを保証するためにウエストラインにおける張力は１Ｎ以上であるべきであること、およびウエストラインにおける張力が８Ｎを超えると皮膚にダメージを与えるおそれがあることが分かっている。だが、吸収用品のウエストラインにおいて生じる張力は、装着者に吸収用品を着用させる人によってなされるサイド部分のオーバーラップの程度に依存する。そうした人が、どの程度の密着状態で吸収用品を装着者にフィットさせるべきかを判断するのを助けるために、本発明による吸収用品は、図１ないし図３に示す張力指示子１７,１８のような張力指示子を備える。
【００２１】
張力指示子１７,１８はプラスチック材料製の帯片からなり、このプラスチック材料は、それ自身の張力がある値に達したとき、その可視外観が変化する。そうしたプラスチック材料の例は、コールドフロー変形を受けたときに色を変える、可塑性が付与されていないポリ塩化ビニル、ポリ塩化ビニル‐ポリ酢酸ビニル共重合体である。帯片１７,１８の厚みおよび素材は、サイド部分における張力が、吸収用品の良好なフィットを保証する最小値と、皮膚のダメージに関するリスクを生じる値との間の値に達したとき、もし可能ならば好ましくは下限値をかなり超えたとき、可視変化(白化)が生じるよう選択される。選ばれる値は、好ましくは、肌の刺激またはダメージに関するリスクを引き起こす値よりも低いものとなる。
【００２２】
帯片１７,１８は、後部５のそれぞれのサイド部分に対して、適当な手段で、たとえば接着剤または融着によって取り付けられる。ここで説明する実施形態では、上記帯片は、その全長に沿って被覆シート２に取り付けられるが、その対向する横方向端部においてのみ、被覆シート２に上記帯片を取り付けることも可能である。
【００２３】
図１ないし図３に示す実施形態による吸収用品を装着者に着用させるとき、前部および後部のサイド部分は、まず、用品の一方の側(図２に示す例では前方から見たときに用品の右側)においてオーバーラップ状態で、タブ１４を帯片１６に張り付けることによって互いに張り合わされる。この操作後も吸収用品のウエストラインは開いたままであるので、容易に判別できるようなウエストラインの緊張は生じない。既に取り付けられたサイド部分と対向する前部および後部のサイド部分が、ファスナー要素１３および１５を用いて互いに取り付けられるときに、初めて、ウエストラインには、吸収用品の密着フィット状態を得るために張力を作用させる必要が生じる。図２に示すように吸収用品を装着させる人は、タブ１３すなわち図２の左側のサイド部分をつまみ、そしてこの部分をオーバーラップ関係で用品の前部の対応するサイド部分の上に引っ張り込む。オーバーラップ量が増大すればするほど、サイド部分における張力は増大する。張力指示子１７が白化するとき、適切なオーバーラップ状態に達しており、その後、タブ１３はプラスチック帯片１５に取り付けられる。張力指示子１７を備えたことにより、どの時点で適切な張力が作用するようになったかを使用者が極めて容易に判別できる。
【００２４】
上記の説明から、サイド部分の一方に張力指示子を設ければ十分であることは明白である。だが、図２による吸収用品に指示子１８のみが存在しており、かつ吸収用品が上述した手法で装着される場合、適切なオーバーラップを判別するとき、吸収用品を着用させる人は、最後に張り付けられた部分に対して反対側に位置するサイド部分の指示子１８を注視しなければならないであろう。これは不便であろうし、そしてこうした理由から、後部のサイド部分の両方が張力指示子を備えることが好ましい。
【００２５】
別体の帯片１７,１８の代わりに、タブ１３,１４あるいは後部５のサイド部分が張力指示子として機能するよう構成できる。
【００２６】
図４および図５においては、本発明の第２の実施形態による吸収用品が、図１および図３のそれぞれに対応する様態で示されている。本実施形態による吸収用品は、図１ないし図３による吸収用品とは、後部のサイド部分が弾性材料、たとえば弾性不織布などからなり、しかもそれは被覆シート１０２,１０３に取り付けられたサイドパネル１９,２０を構成している点で相違する。図１ないし図３に示す第１実施形態による吸収用品の対応構成要素に類似の、第２の実施形態による吸収用品の構成要素には、図４および図５において、１００を加えた以外は同じ参照数字を付与している。吸収用品に弾性サイドパネルを設けた理由は、快適性および吸収用品の全体的なフィット具合を改善するというものである。そうした吸収用品を装着者に着用させたとき、サイドパネルは横方向に引き伸ばされることになる。張力指示子に使用される材料は、通常、サイドパネルにとって望ましいこの延伸には、破断せずには追従できない。第２の実施形態による張力指示子２１,２２はそれゆえ、図５から分かるように、サイドパネル１９,２０の外面に対して、折り畳まれ、その側方端部のみがパネルに対して取り付けられた状態で設けられている。これは、パネルを横方向に延伸させ始めるときには張力が張力指示子に作用せず、パネル２０の延伸にともなって張力指示子２２の折込み部２３が展開されることを意味する。折込み部２３の横方向長さは、張力指示子２２が完全に展開されたとき、サイドパネルにおいて吸収用品の良好なフィット状態を保証する最低値に達するよう選択することができる。張力に関する可視外観が生じる張力は、肌のダメージに関するリスクが生じる付近で選択できる。図４および図５による第２実施形態においては、張力指示子２１,２２は二つの異なる張力指示子の組み合わせであり、そのうちの一方は張力指示子の展開が、見る者に、ある張力に達したことを知らせ、そして他方は材料の色が変化(たとえばコールドフロー変形によって白化)する。
【００２７】
弾性材料の別体サイドパネルを設ける代わりに、被覆シート間に予め張力を付与した弾性糸を配置することにより後部のサイド部分に伸縮性を持たせることができる。この糸は、被覆シートの一方または両方に取り付けられる。そうしたサイド部は、本発明による吸収用品の第３実施形態で具現化されており、そうした吸収用品のサイド部分は、図３と同じ様態の、予張力付与糸が製造後に弛緩できるようになった後の図６に示されている。図１ないし図３に示す第１実施形態による吸収用品の対応構成要素に類似の、上記第３実施形態による吸収用品の構成要素には、図６において２００を加えた以外は同じ参照数字を付与している。製造時に弾性糸を予張力付与状態で保持するための手段を取り外したとき、この糸は初期の長さに復帰しようとする。すなわち糸は短くなろうとし、それによって無張力状態に戻ろうとする。弾性糸の復元によって、図６から明白であるように、それに取り付けられた被覆シート２０２,２０３のギャザーが得られる。製造時に、すなわち弾性糸が予張力状態にあるときに、その横方向端部で外面被覆シート２０２に取り付けられた長尺な張力指示子２５はまた、その端部間に折込み部が生じるように寄り集まる。サイド部分の弾性糸の弾力性を利用するために、被覆シート２０２,２０３のギャザーの一部は、吸収用品を装着した状態においても存続すべきである。被覆シートのギャザーの一部が存在しているとき、張力指示子２５に張力が作用するようにするため、弾性糸の復元によるギャザー形成後に、張力指示子は長さが短くなる必要がある。図６に示す実施形態では、図６に概略的に示すようにたとえば接着剤または融着部２６によって、折込み状態で互いに向き合う面の一部を張り合わせることによって、この短縮が実現されている。その後、この指示子は、図５に示す第２実施形態の折込み部２３に類似の、すっきりとした様態へと折り込まれてもよい。
【００２８】
本発明による吸収用品の第４実施形態を図７に示す。図１ないし図３に示す第１実施形態による吸収用品の対応構成要素に類似の、この第４実施形態による吸収用品の構成要素には、図７において３００を加えた以外は同じ参照数字を付与している。第１および第４の実施形態間の唯一の差異は張力指示子の構造である。第４実施形態の張力指示子２７は、たとえば適当な接着剤によって被覆シート３０２に対して張り付けることにより、この被覆シート３０２に対して取り外し可能かつ再固定可能である。但し、取り付けは、張力指示子が受けることになる最大張力に耐えるのに十分なほど強いものである。その上、張力指示子２７は折込み部２８を備え、折込み状態で互いに向き合う指示子の面は、被覆シート３０２に張力指示子を取り付けている接合部と同じタイプのものである接合部２９によって互いに張り合わされている。張力指示子２７はまた、その取り外しを容易にするために、被覆シート３０２に張り付けられていない端部３０を有していてもよい。そうした構成によって、指示子の最初の可視変化(これはファスナー３１４に対して折り返された指示子の端部において生じる)につながる最初の調整後に、吸収用品を再調整することが可能となる。再調整を行うべきとき、使用者は自由端３０をつまみ、折込み部２８を展開し、そしてこの展開された指示子を引き伸ばされた状態で被覆シート３０２に取り付ける。すると、折込み部における展開された部分は、張力指示子２７の新しい指示セクションを形成する。変形例においては、端部３０と対向する指示子の端部は、指示子２７の残部よりも、被覆シート３０２に対して一層堅固に取り付けられるであろう。もちろん、再調節の実現以上のことが要求される場合、張力指示子に一つ以上の折込み部２８を設けることも可能である。
【００２９】
材料の可視変化は、もちろん、発色あるいは折込み部の展開以外のものであってもよい。たとえば、不透明な指示子が、それ自身に関してある張力に達したとき透明に変化するようにすることもできる。可視指示として材料の破断を利用することも可能である。その場合、指示子あるいはその下に存在する材料を着色することによって、指示子をその下に存在する材料とは異なる色とすることを考えるのも有益であろう。指示子は破断材料の帯片およびこの破断材料とは異なる色の弾性材料の帯片の積層体とすることができる。そうした積層構造は、上述した他のタイプの指示子としても使用できる。
【００３０】
上記タイプの吸収用品の過度にあるいは不十分な密着フィット状態はまた、当該装着者にとって小さ過ぎるか大き過ぎるサイズの吸収用品を着用させることによっても生じ得る。それゆえ、適切なサイズの吸収用品が選ばれたかどうかを顕示するために、上記吸収用品に張力指示子を設けることも好適である。そうした指示子は、吸収用品の他の部分に、たとえば脚用弾力部に隣接して配置できる。パンツ型おむつについては、好都合なことに、張力指示子はおむつのヒップ領域の一方または両方に設けることができる。好ましくは、高過ぎる張力だけでなく低過ぎる張力を顕示する張力指示子が設けられる。材料の張力が過度に高くなったときに、その可視外観が変わる材料から背面シート全体を構成することも可能である。背面シートの目立つ領域において、たとえば吸収用品の脚用弾力部およびサイド部分において十分な張力が得られたかどうかを明示する他のタイプの張力指示子を、そうした背面シートに付与することも有利である。
【００３１】
上記実施形態は、もちろん本発明の範囲内で変更できる。たとえば、吸収用品は成人用おむつの代わりに子供用おむつとすることができる。吸収用品の指示子部をウエスト領域の外側に設けることもできる。張力指示子は被覆シートと別体である必要はない。外面被覆シートの強度を低下させた部分を張力指示子として利用できる。一つ以上の指示子(各指示子はウエスト領域におけるそれぞれに異なる張力を顕示する)を使用することができる。その上、吸収用品は、ここに開示した以外の形態であってもよい。たとえば、吸収用品は長方形状とすることができ、しかも吸収用品はウエスト用弾力部を排することができる。それゆえ、本発明は特許請求の範囲の内容によってのみ限定されるべきである。
【図面の簡単な説明】
【００３２】
【図１】本発明の第１の好ましい実施形態による使い捨て吸収用品の概略平面図であり、吸収用品の内面は見る者の側に向けられている。
【図２】ほぼ着用状態での図１の吸収用品の斜視図であり、前部および後部の一対の協働サイド部分は互いに止着された状態にある。
【図３】図１のIII‐III線に沿った断面図である。
【図４】本発明の第２の好ましい実施形態による吸収用品の、図１に類似の図である。
【図５】図４のＶ‐Ｖ線に沿った断面図である。
【図６】本発明の第３の好ましい実施形態による吸収用品の、図３に類似の図である。
【図７】本発明の第４の好ましい実施形態による吸収用品の、図３に類似の図である。
【符号の説明】
【００３３】
１  吸収体
２  外側液体不透過性被覆シート
３  内側液体透過性被覆シート
４  前部
５  後部
６  股部
７〜１０  弾性糸
１１,１２  脚用開口部
１３,１４  テープタブ
１５,１６  帯片
１７,１８  張力指示子
１９,２０  サイドパネル
２１,２２  張力指示子
２３  折込み部
２５  張力指示子
２６  接着剤または融着部
２７  張力指示子
２８  折込み部
２９  接合部
３０  端部
１０２,１０３  被覆シート
２０２,２０３  被覆シート
３０２  被覆シート
３１４  ファスナー
【図１】
2007512895.tif 000003
【図２】
2007512895.tif 000004
【図３】
2007512895.tif 000005
【図４】
2007512895.tif 000006
【図５】
2007512895.tif 000007
【図６】
2007512895.tif 000008
【図７】
2007512895.tif 000009
【国際調査報告】
2007512895.tif 000010
2007512895.tif 000011